(57)【要約】【課題】加熱調理庫側から把手に伝わる熱を低減して把手の温度上昇を抑え、ひいては把手を構成する樹脂材料や表面処理の選択を拡大すること。【解決手段】扉２８の把手３２は、扉２８の開閉操作力が直接作用する把手本体部３４と把手本体部３４の外面に取り付けた把手飾り３５とを備え、把手本体部３４と把手飾り３２との間に空間部４０を確保して成る。【選択図】図５
2010203689.tif 000002
【特許請求の範囲】
【請求項１】
調理器本体の一部を成し内部に発熱体を配した加熱調理庫の前面に配し前記加熱調理庫を使用時に開閉する扉には、前記扉の前面を覆うガラスと、前記扉の開閉操作を行うための把手と、扉ベースとを備え、前記把手には、前記扉の開閉操作力が直接作用する把手本体部と前記把手本体部の外面に取り付けた把手飾りとを備え、前記把手本体部と前記把手飾りとの間に空間部を確保して成る加熱調理器。
【請求項２】
把手本体部と把手飾りとの固定は、前記把手飾りの開口外周先端付近に設けた凸部を前記把手本体部の外部形状に係合して成り、前記把手飾りの開口外周先端付近の内面を前記把手本体部に凭接して成る、請求項１に記載の加熱調理器。
【請求項３】
扉の前面を覆うガラスの外周辺を乗り越えて前記ガラスの前後面を挟むように補強部材を配し、前記補強部材の外側に把手本体部を配し、前記扉の加熱調理庫側の面で扉ベースと前記補強部材とを、前記把手本体部に設けた後方固定部を介して固定し、前記扉の前面側で前記把手本体部に設けた前方固定部の後方から貫通した締結部材を用いて前記補強部材と前記前方固定部とを連結し、前記締結部材の先端は前記把手本体部との間に隙間を設けて成る、請求項１または２に記載の加熱調理器。
【請求項４】
扉の開閉操作力が直接作用する把手本体部の裏面側に指先を当てて前記扉を開閉する凹形状の持ち手部を形成し、前記持ち手部の奥で指先の行き止めとなる縦壁の操作奥当て面と、締結部材を用いて補強部材と締結するために前記把手本体部に設けた前方固定部との間の空間を仕切る空間分割壁とを設けて、前記持ち手部奥の空間を奥側の第１の空間と手前側の第２の空間との２つの空間に分割し、前記第１の空間に前記把手本体部の前記前方固定部と前記補強部材とを連結する締結部材を配して成る、請求項３に記載の加熱調理器。
【請求項５】
把手本体部の裏面側に配した持ち手部の両端部には、把手本体部の前方外形壁と操作奥当て面とを繋ぐ連結壁を設け、前記把手本体部は、ガラスを乗り越える部分の内側の補強部材を前記連結壁付近に配して成る、請求項４に記載の加熱調理器。
【請求項６】
把手本体部の前方固定部と操作奥当て面との間の空間を仕切る空間分割壁に把手飾りの外周部が当接し、前記把手飾り外周部よりも下方に前記空間分割壁が延長され前記空間分割壁を、前記把手飾り外周部より露出して成る、請求項４またはび５に記載の加熱調理器。
【請求項７】
把手本体部と把手飾りとの間に形成した空間部と、前記把手本体部の裏面側に形成した持ち手部との間に貫通孔を配して成る、請求項４〜６のいずれか１項に記載の加熱調理器。
【請求項８】
把手飾りと空間分割壁とが接する前記把手飾りの外周下部には、把手本体部と前記把手飾りとで形成される空間と外気とを繋ぐ導通切り欠きを、前記把手飾りと前記空間分割壁との当接面に配して成る、請求項７に記載の加熱調理器。
【発明の詳細な説明】
【技術分野】
【０００１】
本発明は、一般家庭等で使用する、魚などの被調理物を調理する加熱調理庫を備える加熱調理器の、加熱調理庫に備える扉の把手構成に関するものである。
【背景技術】
【０００２】
従来この種の加熱調理器の加熱庫１の扉２は裏面から見て図１０に示すように、覗き窓を有する扉ベース（引用文献では金属製ドアカバー）３と、扉ベース３の前面を覆うガラス板４と、扉ベース３とガラス板４の上端部を覆う樹脂製把手５により構成されており、ガラス板４の上部は扉ベース３と把手５とにより挟持されている。
【０００３】
扉ベース３の下端部は前方に折曲され、さらに上方に折曲されることで、ガラス板４の下端部は扉ベース３の下端折曲部により保持されており、扉ベース３とガラス板４との間には所定の空間が形成されている。
【０００４】
図１０は、扉２を含む加熱庫１の構成を表側から見た分解斜視図である。
【０００５】
このような構成により、ガラス板４上部を扉ベース３と樹脂製把手５とで挟持するので、少ない部品点数で扉を構成できるものである（例えば、特許文献１参照）。
【特許文献１】特開２００６−３３６８９８号公報
【発明の開示】
【発明が解決しようとする課題】
【０００６】
前記従来の加熱調理器は、ガラス板４の上部表面と把手５の下部が、ガラス板４の裏面と扉ベース３が重なってガラス板４を挟持している。
【０００７】
このような構成のものでは、図１０のように加熱調理庫１の扉２を構成するガラス板４を把手５が重なり合うことで保持するので、扉ベース３やガラス板４の熱が把手５に直接伝わり、把手５の温度が上昇しやすいものであり、把手５操作時の温度が高くなるとともに、把手５を構成する樹脂材料や表面処理の選択に制限があった。
【０００８】
また、把手５の具体構成について記載はなく、把手５の温度低減手段は不明である。
【０００９】
本発明は前記従来技術における課題を解決するもので、扉ベースやガラスから把手に伝わる熱を低減して把手の温度上昇を抑え、ひいては把手を構成する樹脂材料や表面処理の選択を拡大するものである。
【課題を解決するための手段】
【００１０】
前記従来の課題を解決するために本発明の加熱調理器は、調理器庫本体の一部を成し内部に発熱体を配した加熱調理庫を備え、加熱調理庫を使用時に開閉する扉の把手には、扉の開閉操作力が直接作用する把手本体部と把手本体部の外面に取り付けた把手飾りとを備え、把手本体部と把手飾りとの間に空間部を確保して成るものである。
【００１１】
これによって、把手本体部と把手飾りとが嵌合する対向面がすべて当接することを避けるよう空間部が構成されるので、把手本体部から把手飾りに伝わる熱が低減されて把手飾りの温度上昇が抑制され、把手飾りを構成する樹脂材料や表面処理の選択を拡大することができる。また、水洗いなどで把手本体部と把手飾りとが嵌合する対向面に侵入した水などの液体が抜けやすくなる。
【発明の効果】
【００１２】
本発明の加熱調理器は、加熱調理庫側から把手に伝わる熱を低減して把手の温度上昇を抑え、ひいては把手を構成する樹脂材料や表面処理の選択を拡大するものである。
【発明を実施するための最良の形態】
【００１３】
第１の発明は、調理器本体の一部を成し内部に発熱体を配した加熱調理庫の前面配し前記加熱調理庫を使用時に開閉する扉には、前面を覆うガラスと、前記扉の開閉操作を行うための把手と、扉ベースとを備え、前記把手には、前記扉の開閉操作力が直接作用する把手本体部と把手本体部の外面に取り付けた把手飾りとを備え、前記把手本体部と前記把手飾りとの間に空間部を確保して成るとすることにより、把手本体部と把手飾りとが嵌合する対向面がすべて当接することを避けるよう空間部が構成されるので、把手本体部から把手飾りに伝わる熱が低減されて把手飾りの温度上昇が抑制され、把手飾りを構成する樹脂材料や表面処理の選択を拡大することができる。また、水洗いなどで把手本体部と把手飾りとが嵌合する対向面に侵入した水などの液体が抜けやすくなる。
【００１４】
第２の発明は、特に、第１の発明において、把手本体部と把手飾りとの固定を、前記把手飾りの開口外周先端付近に設けた凸部を前記把手本体部の外部形状に係合して成り、前記把手飾りの開口外周先端付近の内面を前記把手本体部に凭接したとすることにより
、把手飾りの開口外周先端付近の内側に把手本体部が近接するように挿入されて補強した構成となり、把手飾りが開口の内側に変形しにくくなる。また、把手本体部と把手飾りとを引っ掛ける凸部は近接した位置になるので、把手飾りが開口の内側に変形しにくいことで凸部の引っ掛かりが外れにくくなる。
【００１５】
第３の発明は、特に、第１または第２の発明において、扉の前面を覆うガラスの外周辺を乗り越えてガラスの前後面を挟むように補強部材を配し、前記補強部材の外側に把手本体部を配し、前記扉の加熱調理庫側の面で扉ベースと前記補強部材とを、前記把手本体部に設けた後方固定部を介して固定し、前記扉の前面側で前記把手本体部に設けた前方固定部の後方から貫通した締結部材を用いて前記補強部材と前記前方固定部とを連結し、前記締結部材の先端は前記把手本体部との間に隙間を設けて成るとすることにより、把手本体部に把手飾りを取り付け、扉を開閉操作する操作部となる把手本体部の前方固定部よりも手前側と、固定部材とが接しないので、把手本体部の前方固定部よりも手前側の温度が上昇しにくくでき、扉開閉時の把手の温度を低減できる。
【００１６】
第４の発明は、特に、第３の発明において、扉の開閉操作力が直接作用する把手本体部の裏面側に指先を当てて前記扉を開閉する凹形状の持ち手部を形成し、前記持ち手部の奥で指先の行き止めとなる縦壁の操作奥当て面と、締結部材を用いて補強部材と締結するために前記把手本体部に設けた前方固定部との間の空間を仕切る空間分割壁とを設けて、前記持ち手部奥の空間を奥側の第１の空間と手前側の第２の空間との２つの空間に分割し、前記第１の空間に前記把手本体部の前記前方固定部と前記補強部材とを連結する締結部材を配して成るとすることにより、加熱調理庫からの熱伝導で温度上昇しやすい補強部材周辺空間である第１の空間よりも手前に分割された別の空間である第２の空間が形成され、第２の空間が操作奥当て面と第１の空間との間の断熱空間となり、操作奥当て面から前方の把手本体部の温度上昇を低減でき、通常操作において扉開閉時に触れる範囲の把手の温度を低減できる。
【００１７】
第５の発明は、特に、第４の発明において、把手本体部の裏面側に配した持ち手部の両端部には、把手本体部の前方外形壁と操作奥当て面とを繋ぐ連結壁を設け、前記把手本体部は、ガラスを乗り越える部分の内側の補強部材を前記連結壁付近に配して成るとすることにより、補強部材は持ち手部中央部付近から離れた位置に配されるので、操作奥当て面
の中央部付近には加熱調理庫からの熱伝導で温度上昇しやすい補強部材の熱影響が少なくなり、操作奥当て面の中央部付近の温度を低減できる。また、扉を開閉する際の把手本体の操作力がドアベース側に伝わる連結壁付近に補強部材が配置されるので、把手本体の操作力が補強部材に伝わりやすく、扉操作力によるねじれや歪みが把手本体に生じにくい。
【００１８】
第６の発明は、特に、第４または第５の発明において、把手本体部の前方固定部と操作奥当て面との間の空間を仕切る空間分割壁に把手飾りの外周部が当接し、前記把手飾り外周部よりも下方に前記空間分割壁が延長され前記空間分割壁を前記把手飾り外周部より露出して成るとすることにより、把手飾り下方に、ガラスと把手飾りとの間の空間分割壁による平面が露出して外視されるよう形成され、扉を操作時に指が把手飾りから外れても、指先は把手飾りから露出した空間分割壁による平面に当たって保護され、高温になるガラスに当たりにくくできる。
【００１９】
第７の発明は、特に、第４〜６のいずれか１つの発明において、把手本体部と把手飾りとの間に形成した空間部と、前記把手本体部の裏面側に形成した持ち手部との間に貫通孔を配して成るとすることにより、把手本体部と把手飾りとの間の空間部には貫通孔を通して大気圧がかかり、気密空間でなくなることで、扉の水洗時などに空間部に侵入した水等の液体が空間部に留まることなく外部に流出しやすくできる。
【００２０】
第８の発明は、特に、第７の発明において、把手飾りと空間分割壁とが接する把手飾りの外周下部には、把手本体部と前記把手飾りとで形成される空間と外気とを繋ぐ導通切り欠きを、前記把手飾りと前記空間分割壁との当接面に配して成るとすることにより、貫通孔により外気圧がかかり気密空間でなくなっている把手本体部と把手飾りとの間の空間部に水洗時などに侵入した水等の液体は、把手飾り外周下部と把手本体部当節面に配した導通切り欠きから外部に流出し、空間部に侵入した水等の液体がさらに排出されやすくなる。
【００２１】
（実施の形態１）
図１は本発明における第１の実施の形態における加熱調理器の斜視図、図２は図１に示す加熱調理器の加熱調理庫の扉の斜視図、図３は図２の扉を下方から見た分解斜視図、図４は図２の扉を上方から見た分解斜視図、図５は図２のＡ−Ａにおける部分断面図、図６は図２のＢ−Ｂにおける部分断面図、図７は図２のＣ−Ｃにおける部分断面図、図８は図２のＤ−Ｄにおける部分断面図、図９は扉に内設される補強部材の斜視図を示す。
【００２２】
図１において、調理器本体２１はキッチン等に組込み設置して使用するもので、本体２１の上面は結晶化ガラスを素材としたトッププレート２２の周囲を金属製のフレーム２３で囲んで覆われている。トッププレート２２には加熱部２４ａ、２４ｂが印刷されている。トッププレート２２後方で本体２１後部の部分には外部通気口を覆う通気パネル２５を配置している。加熱部２４ａ、２４ｂに対応する本体内部には誘導加熱手段を構成する加熱コイル２６ａ、２６ｂ（図示せず）が配されている。
【００２３】
トップフレーム２３下部で本体２１の前面は、庫内にシーズヒーターを発熱体として備え、食材を加熱調理する加熱調理庫２７の扉２８と、扉２８側方で本体前面を覆う前面カバー２９とでその大部分を覆われている。前面カバー２９内方には本体２１の内部部品を冷却する冷却ファン３０（図示せず）を備えている。
【００２４】
図２から図８において、調理器本体２１の一部を成し内部に発熱体として電熱ヒーターを配した加熱調理庫２７の前面に備えた扉２８は加熱調理庫２７を使用時に開閉すものである。扉２８の前面には前面の大部分を覆うガラス３１と、扉２８の開閉操作を行うための把手３２とを備える。扉２８の裏面側には、ガラス３１や把手３２を保持しつつ扉２８
の外面一部を構成して扉２８の剛性を得る扉ベース３３を備える。
【００２５】
把手３２は把手本体部３４と把手本体部３４の外面に取り付けた把手飾り３５とから成り、把手本体部３４の裏面には、扉２８の開閉操作力を直接作用させるため指先を当てて扉２８を開閉する凹形状の持ち手部３６を形成する。把手飾り３５の下面側には、把手本体部３４の持ち手部３６が露出するように持ち手穴３７を設けている。
【００２６】
把手本体部３４には、持ち手部３６とは反対面で前方上面部に複数の溝３８を設けている。また、外形前周形状から突出するように複数の凸リブ３９が設けられている。図５に示すように、把手本体部３４の外面に把手飾り３５を取り付けた状態において、把手本体部３４と把手飾り３５との間に複数の溝３８と複数の凸リブ３９とにより空間部４０が形成確保される。
【００２７】
この構成により、把手本体部３４と把手飾り３５とが嵌合固定された状態で把手本体部３４の内面と把手飾り３５の外面とは対向面となるが、複数の溝３８と複数の凸リブ３９とにより形成される空間部４０により、対向面がすべて当接することを避ける。これにより、加熱調理庫側にあり温度が高い側の把手本体部３４から温度が低い側の把手飾り３５に伝わる熱量が空間部４０により断熱されて低減され、扉２８開閉時に触れる把手飾り３５の温度上昇が抑制され、把手飾り３５を構成する樹脂材料に耐熱温度がおおよそ１００℃程度よりも低い汎用熱可塑性樹脂を用いたり、表面処理にメッキを用いるなど、材料や表面処理の選択を拡大し、デザイン性を豊富にしたり部品を安価にすることができる。また、扉２８の水洗いなどで把手本体部３４と把手飾り３５とが嵌合する対向面に空間部４０が形成されることで対向面に侵入した水などの液体は、表面張力による毛細間現象が作用しにくく、外部に抜けやすくなる。
【００２８】
把手飾り３５の開口外周先端４１付近には複数の凸部４２を設けている。把手本体部３４に設けた複数の溝３８には、把手本体部３４の先端部からガラス３１の方向に向かう途中で本体凸部４３を設けている。把手飾り３５に設けた複数の凸部４２と把手本体部の複数の溝３８に設けた本体凸部４３とは、係合し合う位置関係および大きさとなっている。また、把手飾り３５の開口外周先端４１内面部に相対する部分の把手本体部３４の外面である飾り迎え部４４は把手飾り３５内面とほぼ当接する位置寸法にある。このような構成により、把手本体部３４と把手飾り３５とは、把手飾り３５の開口外周先端４１付近の内面を把手本体部３４の飾り迎え部４４に凭接して固定している。
【００２９】
また、図５に示すように、把手本体部３４の裏面に形成した凹形状の持ち手部３６の奥方には、持ち手部の奥で扉２８を操作する指先の行き止めとなる縦壁リブである操作奥当て面４５を形成している。把手飾り３５に設けた持ち手穴３７の奥方には下方凸部４６を設け、把手本体部３４の操作奥当て面４５の先端奥部と下方凸部４６とが係合している。
【００３０】
把手本体部３４と把手飾り３５とは、上側が、把手飾り３５に設けた複数の凸部４２と把手本体部の複数の溝３８に設けた本体凸部４３との係合、下側が、把手本体部３４の操作奥当て面４５の先端奥部と下方凸部４６とが係合とにより嵌合固定されている。
【００３１】
これにより、把手飾り３５の開口外周先端４１付近の内側に、把手本体部３４の飾り迎え部４４が近接して挿入し補強された構成となり、把手飾り３５の外面を押した場合、把手飾り３５の開口外周先端４１が把手本体部３４の飾り迎え部４４により受け止められ、把手飾り３５は開口の内側方向に変形しにくくなる。また、把手本体部３４と把手飾り３５とを引っ掛ける、把手飾り３５の凸部４２は開口外周先端４１に近接した位置にあるので、把手飾り３５が開口の内側方向に変形しにくいことで、把手飾り３５の凸部４２は把手本体部３４に設けてある本体凸部４３から外れにくくなる。
【００３２】
扉２８は、扉ベース３３に把手本体部３４を固定し、ガラス３１は周囲を扉ベース３３と把手本体部３４とで周囲を覆うように保持されている。扉ベース３３と把手本体部３４の固定は、扉２８の前面を覆うガラス３１の外周上辺を乗り越えてガラス３１の前後面を挟むように配した金属板であるステンレス材をプレス成形した補強部材４７を備え、補強部材４７の外側に把手本体部３４を配している。把手本体部３４の後部には後方固定部４８を設け、扉２８において加熱調理庫２７側の面である扉ベース３３と補強部材４７とを、把手本体部３４に設けた後方固定部４８に設けた穴を貫通するように金属製の第１のネジ４９を補強部材４７に締め付けて固定している。把手本体部３４において扉２８の前面側に設けた前方固定部５０の後方から締結部材である金属製の第２のネジ５１が前方固定部５０を貫通して補強部材４７に締め付けて把手本体部３４と補強部材４７とを連結している。締結部材である第２のネジ５１の先端は把手本体部との間に寸法をＨとした隙間５２を設けて成る。
【００３３】
補強部材４７は図９に示すように、断面形状が略逆Ｕ字で、片方の端部にフランジ５３設け、他方端部の第１のネジ穴５４とフランジ５３の第２のネジ穴５５とを配し、第１のネジ穴５４に第１のネジ４９を、第２のネジ穴５５に第２のネジ５１を締め付ける形状である。
【００３４】
これにより、把手本体部３４に把手飾り３５を取り付け、扉２８を開閉操作する際に操作部となる、把手本体部３４の前方固定部５０よりも手前側の部分と、固定部材である第２のネジ５１とは、寸法をＨとした隙間５２を設けているので互いに接触しない。補強部材４７や第１ネジ４９および第２のネジ５１は金属製のため熱伝導しやすいが、寸法をＨとした隙間５２により断熱されるので、把手本体部３４の前方固定部５０よりも手前側の温度が上昇しにくくなり、扉２８開閉時に触れて操作する把手部分の持ち手部３７や把手飾り３５の温度を低減できる。
【００３５】
また、把手本体部３４の内側に配した補強部材４７は金属製であり、第１ネジ４９および第２のネジ５１を締め付けるので、締め付けが緩みにくく扉ベース３３と把手本体部３４との連結を確実にできる。また、熱硬化性樹脂または耐熱の熱可塑性樹脂で形成する把手本体部３４がガラス３１を乗り越える部分での曲げモーメントに対する強度を、内側に配した補強部材４７により補強し強度確保ができる。
【００３６】
把手本体部３４には、扉２８を開閉操作力する際に裏面側に指先を当てて扉２８を開閉する凹形状の持ち手部３６の奥で指先の行き止めとなる縦壁の操作奥当て面４５とを設けている。締結部材である金属製の第２のネジ５１を用いて補強部材４７と締結するために把手本体部３４に設けた前方固定部５０と操作奥当て面４５との間の空間を仕切る空間分割壁５６を設け、持ち手部３６奥の空間を、奥側の第１の空間５７と手前側の第２の空間５８の２つの空間に分割し、第１の空間５７に把手本体部３４の前方固定部５０と補強部材４７を連結する締結部材である第２のネジ５１を配して成る。
【００３７】
これにより、加熱調理庫２７からの熱伝導で温度上昇しやすい補強部材４７周辺空間である第１の空間５７よりも手前に分割された別の空間である第２の空間５８が形成され、第２の空間５８が操作奥当て面４５と第１の空間５７との間の断熱空間となる。操作奥当て面４５よりも前方の把手本体部３４の温度上昇を低減でき、通常操作において扉開閉時に把手を触れる範囲である持ち手部３７や把手飾り３５の温度を低減できる。
【００３８】
把手本体部３４の裏面側に配した持ち手部３６の両端部には、持ち手部３６の前方壁であり扉２８開閉時に指先を引っ掛ける部分となる把手本体部３４の前方外形壁５９と操作奥当て面４５とを繋ぐ連結壁６０を左右に設けている。また、把手本体部３４がガラス３
１を乗り越える部分の内側に配した補強部材４７が連結壁６０の後方に位置するよう、補強部材４７を配している。
【００３９】
持ち手部３６は、前部を前方外形壁５９で、後部を操作奥当て面４５で、左右を連結壁６０で囲まれた構成となる。
【００４０】
これにより、金属製のため熱伝導しやすい補強部材４７は持ち手部３６の中央部付近から離れた位置に配されるので、操作奥当て面４５の中央部付近には加熱調理庫２７からの補強部材４７を伝わる熱伝導の熱影響が少なくなり、持ち手部３６や操作奥当て面４５の中央部付近の温度上昇を抑制できる。また、扉２８を開閉する際に把手本体部３４に加えられ、持ち手部３６を囲む左右両端の前後方向向きの壁である連結壁６０で補強されて扉ベース３３側に伝わる操作力が、連結壁５７付近に補強部材４７が配置されることで補強部材４７に伝わりやすくなり、把手本体部３４には扉２８を開閉する操作力によるねじれや歪みが生じにくくなる。
【００４１】
把手本体部３４の前方固定部５０と操作奥当て面４５との間の空間を仕切る空間分割壁５６には把手飾り３５の外周部が当接しており、把手飾り外周部６１よりも下方に空間分割壁５６が延長され、把手飾り外周部６１より空間分割壁５６が露出している。
【００４２】
これにより、把手飾り３５下方にガラス３１と把手飾り３５との間の空間分割壁５５による平面が露出して外視されるよう形成され、扉２８を操作時に指が把手飾り３５から下方に外れた場合でも、指先は把手飾り３５から露出した空間分割壁５６である平面に当たって保護され、加熱調理庫使用時には高温になるガラスに当たりにくくでき、高温部に不意に触れる危険性を低減できる。
【００４３】
また、把手本体部３４と把手飾り３５との間に形成した空間部４０と、把手本体部３４の裏面側に形成した持ち手部３６との間に貫通孔６２を配したものは、把手本体部３４と把手飾り３５との間の空間部４０に貫通孔６２を通して大気圧がかかり、空間部４０が気密空間でなくなる。これにより、扉２８の水洗時などに空間部４０に侵入した水等の液体が空間部４０に留まることなく外部に流出しやすくなる。
【００４４】
さらに、把手飾り３５と空間分割壁５６とが接する部位の把手飾り３５の外周下部６１に、把手本体部３４と把手飾り３５とで形成される空間と外気とを繋ぐ導通切り欠き６３を、把手飾り３５と空間分割壁５６との当接面に配したものは、貫通孔６２により外気圧がかかり気密空間でなくなっている把手本体部３４と把手飾り３５との間の空間部４０に水洗時などに侵入した水等の液体が、把手飾り３５外周下部と空間分割壁５６に配した導通切り欠き６３から外部に流出し、空間部４０に侵入した水等の液体がさらに排出されやすくなる。
【産業上の利用可能性】
【００４５】
以上のように、本発明にかかる加熱調理器は、調理器庫本体の一部を成す加熱調理庫を使用時に開閉する扉の把手に、扉の開閉操作力が直接作用する把手本体部と把手本体部の外面に取り付けた把手飾りとを備え、把手本体部と把手飾りとの間に空間部を確保して成るものであり、加熱調理庫側から把手に伝わる熱を低減して把手の温度上昇を抑え、ひいては把手を構成する樹脂材料や表面処理の選択を拡大するものなので、扉を開閉する加熱調理庫を有する機器等の用途に適用できる。
【図面の簡単な説明】
【００４６】
【図１】本発明の実施の形態１における加熱調理器の斜視図
【図２】本発明の実施の形態１における加熱調理器の扉の斜視図
【図３】本発明の実施の形態１における加熱調理器の扉の分解斜視図
【図４】本発明の実施の形態１における加熱調理器の扉の分解斜視図
【図５】本発明の実施の形態１における加熱調理器の扉の部分断面図
【図６】本発明の実施の形態１における加熱調理器の扉の部分断面図
【図７】本発明の実施の形態１における加熱調理器の扉の部分断面図
【図８】本発明の実施の形態１における加熱調理器の扉の部分断面図
【図９】本発明の実施の形態１における加熱調理器の扉に内設の補強部材の斜視図
【図１０】従来例における加熱調理器の要部斜視図
【符号の説明】
【００４７】
２７  加熱調理庫
２８  扉
３１  ガラス
３２  把手
３３  扉ベース
３４  把手本体部
３５  把手飾り
３６  持ち手部
４０  空間部
４１  開口外周先端
４２  凸部
４５  操作奥当て面
４７  補強部材
４８  後方固定部
５０  前方固定部
５１  第２のネジ（締結部材）
５２  隙間
５６  空間分割壁
５７  第１の空間
５８  第２の空間
６０  連結壁
６２  貫通孔
６３  導通切り欠き
【図１】
2010203689.tif 000003
【図２】
2010203689.tif 000004
【図３】
2010203689.tif 000005
【図４】
2010203689.tif 000006
【図５】
2010203689.tif 000007
【図６】
2010203689.tif 000008
【図７】
2010203689.tif 000009
【図８】
2010203689.tif 000010
【図９】
2010203689.tif 000011
【図１０】
2010203689.tif 000012